(57)【要約】【課題】複数の機能ボタンを有する計時装置を用いて、簡単な操作で計時を行うことである。【解決手段】計時装置２０のはめ込み部３２と下部筐体６０の受け部６２ａ，６２ｂを係止させ、上部筐体９０の簡単操作部９２を計時装置２０の機能操作ボタンにかぶせるようにセットする。このとき、機能切り替え回路により簡単機能に切り替えが行われている。簡単操作部９２をどこでもよいから一度押すと計時が開始する。つぎに簡単操作部９２をどこでもよいからもう一度押すと計時が終了し、液晶ディスプレイ３０に計時結果が表示される。簡単操作部９２をどこでもよいから２秒以上押しつづけると計時及び表示のリセットが行われる。【選択図】図４
2005055424.tif 000002
【特許請求の範囲】
【請求項１】
複数の機能操作ボタンを有する計時装置と、計時装置を立て位置で表示を見ることができるように保持するスタンドとの組合せであって、
計時装置は、
ケースの頂面部に設けられ、片手で操作できる複数の機能操作ボタンと、
複数の機能操作ボタンの選択操作により複数の所定モード計時を行う計時機構と、
計時表示面と、
ケースの底面部に設けられ、スタンドの受け部と協働してケースをスタンドに係止して保持するはめ込み部と、
を備え、
スタンドは、
計時装置のはめ込み部に対応する受け部を一端部に有する下部筐体と、
計時装置における機能操作ボタンの配置に対応して設けられ機能操作ボタンの数より少なくかつ２以下の数でありかつ機能操作ボタンより押し面積が大きい簡単操作部を一端部に有し、他端部において下部筐体の他端部とヒンジ機構で接続される上部筐体と、
を備え、
下部筐体の受け部にケースのはめ込み部を係止して計時装置をスタンドに立て位置で保持し、上部筐体の簡単操作部を計時装置の複数の機能操作ボタンにかぶせ、簡単操作部の操作により計時を行うことを特徴とする計時装置とスタンドとを組合せる電子機器。
【請求項２】
請求項１に記載の計時装置とスタンドとを組合せる電子機器において、
計時装置は、はめ込み部がスタンドの受け部に係止されたときに、機能操作ボタンの機能を制限して切り替える機能切り替え回路を備え、簡単操作部の操作により制限されたモードの計時を行うことを特徴とする計時装置とスタンドとを組合せる電子機器。
【請求項３】
請求項１に記載の計時装置とスタンドとを組合せる電子機器において、はめ込み部に対し着脱自在の保護キャップを有することを特徴とする計時装置とスタンドとを組合せる電子機器。
【請求項４】
請求項１に記載の計時装置とスタンドとを組合せる電子機器において、
計時装置は、計時機構を駆動する充電池であって、両端子がはめ込み部に延びている充電池を備え、操作スタンドは、充電池を充電するための電源部であって、両端子が受け部に延びている電源部を備え、はめ込み部と受け部との係止により、機能操作ボタンの切り替えとともに、電源部により充電池の充電を行うことを特徴とする計時装置とスタンドとを組合せる電子機器。
【請求項５】
請求項１に記載の計時装置とスタンドとを組合せる電子機器において、
制限されたモードの計時は、ボタンの押し操作により計時の開始と終了を行うスタート／ストップモード計時であり、さらに、
ボタンを押してから所定時間経過後に計時開始のスタート音を出力するとともに計時が実際に開始する計時開始予報手段を備えることを特徴とする計時装置とスタンドとを組合せる電子機器。
【請求項６】
請求項１に記載の計時装置とスタンドとを組合せる電子機器において、
計時装置は、上部筐体を計時装置の複数の機能操作ボタンにかぶせたときに、機能操作ボタンの機能を制限して切り替える機能切り替え回路を備え、簡単操作部の操作により制限されたモードの計時を行うことを特徴とする計時装置とスタンドとを組合せる電子機器。
【請求項７】
複数の機能操作ボタンを有する計時装置と、計時装置を立て位置で表示を見ることができるように保持するスタンドとの組合せであって、
計時装置は、
ケースの頂面部に設けられ、片手で操作できる複数の機能操作ボタンと、
複数の機能操作ボタンの選択操作により複数の所定モード計時を行う計時機構と、
計時表示面と、
ケースの底面部に設けられ、スタンドの受け部と協働してケースをスタンドに係止して保持するはめ込み部と、
機能操作ボタンの機能を制限して切り替える機能切り替え回路と、
を備え、
スタンドは、
計時装置のはめ込み部に対応する受け部を一端部に有する下部筐体と、
計時装置の機能切り替え回路を操作する操作部を一端部に有し、他端部において下部筐体の他端部とヒンジ機構で接続される上部筐体と、
を備え、
下部筐体の受け部にケースのはめ込み部を係止して計時装置をスタンドに立て位置で保持し、上部筐体の一端部を計時装置の複数の機能操作ボタンにかぶせ、上部筐体を押す操作により機能切り替え回路を操作し計時を行うことを特徴とする計時装置とスタンドとを組合せる電子機器。
【請求項８】
複数の機能操作ボタンを有する計時装置と、計時装置を立て位置で表示を見ることができるように保持するスタンドとの組合せであって、
スタンドは計時装置に着脱可能であり、
計時装置は、
ケースの頂面部に設けられ、片手で操作できる複数の機能操作ボタンと、
複数の機能操作ボタンの選択操作により複数の所定モード計時を行う計時機構と、
計時表示面と、
ケースの裏面部に設けられるはめ込み部であって、スタンドの受け部がはめ込まれ係止されることで計時装置の底面部とスタンドとで計時装置を支えて立て位置にするはめ込み部と、
はめ込み部の奥に設けられる押しボタン機構であって、スタンドの受け部がはめ込まれ係止されたときの計時装置の自重ではまだ復元状態にあり、表示面を押えることで押し込み状態となる押しボタン機構と、
押しボタン機構の押し込み状態に対応して機能操作ボタンの機能を制限して切り替える機能切り替え回路と、
を備え、スタンドにより計時装置を立て位置にして表示面を押す操作により機能切り替え回路を操作し計時を行うことを特徴とする計時装置とスタンドとを組合せる電子機器。
【請求項９】
請求項１又は請求項８に記載の計時装置とスタンドとを組合せる電子機器において、はめ込み部と受け部との係止は、ボールに付勢力を与えつつ支持するボールプランジャ機構と、ボールプランジャ機構のボールを付勢力に抗して移動させるボール駆動部との協働により行われることを特徴とする計時装置とスタンドとを組合せる電子機器。
【請求項１０】
複数の機能操作ボタンを有する計時装置と、計時装置を立て位置で表示を見ることができるように保持するスタンドとの組合せであって、
スタンドは、回転軸により計時装置に取り付けられ、計時装置より張り出して計時装置の底面部とにより計時装置を立て位置にする張り出し位置と、計時装置に畳まれて収納される収納位置との間で位置を変更でき、
計時装置は、
ケースの頂面部に設けられ、片手で操作できる複数の機能操作ボタンと、
複数の機能操作ボタンの選択操作により複数の所定モード計時を行う計時機構と、
計時表示面と、
ケースの裏面部に設けられ、収納位置にあるときのスタンドを収納する収納くぼみと、
収納くぼみの奥に設けられる押しボタン機構であって、スタンドが収納位置にあるときは復元状態にあり、スタンドが張り出し位置であるときの計時装置の自重ではまだ復元状態にあり、表示面を押えることで押し込み状態となる押しボタン機構と、
押しボタン機構の押し込み状態に対応して機能操作ボタンの機能を制限して切り替える機能切り替え回路と、
を備え、スタンドにより計時装置を立て位置にして表示面を押す操作により機能切り替え回路を操作し計時を行うことを特徴とする計時装置とスタンドとを組合せる電子機器。
【請求項１１】
請求項１、請求項７、請求項８、請求項１０のいずれか１の請求項に記載の計時装置とスタンドとを組合せる電子機器において、
電池を収納する収納部と、収納部の開口を覆い着脱可能な防水蓋とを有し、
防水蓋は、
着脱操作を行うための操作ケースであって、収納部の開口の内周壁部に接触する防水パッキング部材を外周に備えるベース板と、ベース板に積層して取り付けられ収納部の開口の周囲に設けられるはめ込み段差に沿ってはめ込まれるカバー板とを含み、ベース板とカバー板との間に可動空間を形成する操作ケースと、
操作ケースの可動空間内に保持され、カバー板に設けられる操作穴を通して可動空間内でその位置を変更操作できる可動部材であって、可動部材の位置の変更に連動して収納部の開口の内周壁部に設けられる係止溝に対しはまり込み又は外れる出入り爪部を有する可動部材と、
を備えることを特徴とする計時装置とスタンドとを組合せる電子機器。
【発明の詳細な説明】
【技術分野】
【０００１】
本発明は、複数の機能操作ボタンを有する計時装置と、計時装置を立て位置で表示を見ることができるように保持するスタンドとの組合せに関する。
【背景技術】
【０００２】
携帯型の計時装置として、例えばストップウオッチやタイマ、あるいは旅行用の小型置時計等がある。携帯型計時装置の電子化に伴い、１つの計時装置に複数の機能操作ボタンを設け、機能操作ボタンの選択により、時刻表示機能、ストップウオッチ機能、スプリット機能、タイマ機能等を行わせることができる。
【発明の開示】
【発明が解決しようとする課題】
【０００３】
このように複数の機能操作ボタンを備えることで、さまざまなモードの計時を１台でコンパクトに行うことができ、便利になる反面、操作が込み入って複雑となり、一々操作を覚えていられないという不便さも生じてきている。例えば、ドリルの演習を解くのに要する時間を計測するような場合等においては、ストップウオッチ機能があれば十分であるが、従来の多機能計時装置においては操作が込み入ってその操作のために時間を要し、作業時間の計時が不正確になり、計時の対象となる作業そのものの進行に影響を与え、作業の効率が低下することがある。
【０００４】
本発明の目的は、かかる従来技術の課題を解決し、複数の機能ボタンを有する計時装置を用いながら、簡単な操作で計時を行うことを可能にする計時装置とスタンドの組合せを提供するものである。
【課題を解決するための手段】
【０００５】
上記目的を達成するため、本発明に係る計時装置とスタンドとを組合せる電子機器は、複数の機能操作ボタンを有する計時装置と、計時装置を立て位置で表示を見ることができるように保持するスタンドとの組合せであって、計時装置は、ケースの頂面部に設けられ、片手で操作できる複数の機能操作ボタンと、複数の機能操作ボタンの選択操作により複数の所定モード計時を行う計時機構と、計時表示面と、ケースの底面部に設けられ、スタンドの受け部と協働してケースをスタンドに係止して保持するはめ込み部と、を備え、スタンドは、計時装置のはめ込み部に対応する受け部を一端部に有する下部筐体と、計時装置における機能操作ボタンの配置に対応して設けられ機能操作ボタンの数より少なくかつ２以下の数でありかつ機能操作ボタンより押し面積が大きい簡単操作部を一端部に有し、他端部において下部筐体の他端部とヒンジ機構で接続される上部筐体と、を備え、下部筐体の受け部にケースのはめ込み部を係止して計時装置をスタンドに立て位置で保持し、上部筐体の簡単操作部を計時装置の複数の機能操作ボタンにかぶせ、簡単操作部の操作により計時を行うことを特徴とする。また、計時装置は、はめ込み部がスタンドの受け部に係止されたときに、機能操作ボタンの機能を制限して切り替える機能切り替え回路を備え、簡単操作部の操作により制限されたモードの計時を行うことが好ましい。
【０００６】
また、本発明に係る計時装置とスタンドとを組合せる電子機器において、はめ込み部に対し着脱自在の保護キャップを有することが好ましい。また、本発明に係る計時装置とスタンドとを組合せる電子機器において、はめ込み部と受け部との係止は、ボールに付勢力を与えつつ支持するボールプランジャ機構と、ボールプランジャ機構のボールを付勢力に抗して移動させるボール駆動部との協働により行われることが好ましい。
【０００７】
また、計時装置は、計時機構を駆動する充電池であって、両端子がはめ込み部に延びている充電池を備え、操作スタンドは、充電池を充電するための電源部であって、両端子が受け部に延びている電源部を備え、はめ込み部と受け部との係止により、機能操作ボタンの切り替えとともに、電源部により充電池の充電を行うことが好ましい。また、本発明に係る計時装置とスタンドとを組合せる電子機器において、制限されたモードの計時は、ボタンの押し操作により計時の開始と終了を行うスタート／ストップモード計時であり、さらに、ボタンを押してから所定時間経過後に計時開始のスタート音を出力するとともに計時が実際に開始する計時開始予報手段を備えることが好ましい。
【０００８】
また、計時装置は、上部筐体を計時装置の複数の機能操作ボタンにかぶせたときに、機能操作ボタンの機能を制限して切り替える機能切り替え回路を備え、簡単操作部の操作により制限されたモードの計時を行うことが好ましい。
【０００９】
また、本発明に係る計時装置とスタンドとを組合せる電子機器は、複数の機能操作ボタンを有する計時装置と、計時装置を立て位置で表示を見ることができるように保持するスタンドとの組合せであって、計時装置は、ケースの頂面部に設けられ、片手で操作できる複数の機能操作ボタンと、複数の機能操作ボタンの選択操作により複数の所定モード計時を行う計時機構と、計時表示面と、ケースの底面部に設けられ、スタンドの受け部と協働してケースをスタンドに係止して保持するはめ込み部と、機能操作ボタンの機能を制限して切り替える機能切り替え回路と、を備え、スタンドは、計時装置のはめ込み部に対応する受け部を一端部に有する下部筐体と、計時装置の機能切り替え回路を操作する操作部を一端部に有し、他端部において下部筐体の他端部とヒンジ機構で接続される上部筐体と、を備え、下部筐体の受け部にケースのはめ込み部を係止して計時装置をスタンドに立て位置で保持し、上部筐体の一端部を計時装置の複数の機能操作ボタンにかぶせ、上部筐体を押す操作により機能切り替え回路を操作し計時を行うことを特徴とする。
【００１０】
また、本発明に係る計時装置とスタンドとを組合せる電子機器は、複数の機能操作ボタンを有する計時装置と、計時装置を立て位置で表示を見ることができるように保持するスタンドとの組合せであって、スタンドは計時装置に着脱可能であり、計時装置は、ケースの頂面部に設けられ、片手で操作できる複数の機能操作ボタンと、複数の機能操作ボタンの選択操作により複数の所定モード計時を行う計時機構と、計時表示面と、ケースの裏面部に設けられるはめ込み部であって、スタンドの受け部がはめ込まれ係止されることで計時装置の底面部とスタンドとで計時装置を支えて立て位置にするはめ込み部と、はめ込み部の奥に設けられる押しボタン機構であって、スタンドの受け部がはめ込まれ係止されたときの計時装置の自重ではまだ復元状態にあり、表示面を押えることで押し込み状態となる押しボタン機構と、押しボタン機構の押し込み状態に対応して機能操作ボタンの機能を制限して切り替える機能切り替え回路と、を備え、スタンドにより計時装置を立て位置にして表示面を押す操作により機能切り替え回路を操作し計時を行うことを特徴とする。
【００１１】
また、本発明に係る計時装置とスタンドとを組合せる電子機器は、複数の機能操作ボタンを有する計時装置と、計時装置を立て位置で表示を見ることができるように保持するスタンドとの組合せであって、スタンドは、回転軸により計時装置に取り付けられ、計時装置より張り出して計時装置の底面部とにより計時装置を立て位置にする張り出し位置と、計時装置に畳まれて収納される収納位置との間で位置を変更でき、計時装置は、ケースの頂面部に設けられ、片手で操作できる複数の機能操作ボタンと、複数の機能操作ボタンの選択操作により複数の所定モード計時を行う計時機構と、計時表示面と、ケースの裏面部に設けられ、収納位置にあるときのスタンドを収納する収納くぼみと、収納くぼみの奥に設けられる押しボタン機構であって、スタンドが収納位置にあるときは復元状態にあり、スタンドが張り出し位置であるときの計時装置の自重ではまだ復元状態にあり、表示面を押えることで押し込み状態となる押しボタン機構と、押しボタン機構の押し込み状態に対応して機能操作ボタンの機能を制限して切り替える機能切り替え回路と、を備え、スタンドにより計時装置を立て位置にして表示面を押す操作により機能切り替え回路を操作し計時を行うことを特徴とする。
【００１２】
また、本発明に係る計時装置とスタンドとを組合せる電子機器において、電池を収納する収納部と、収納部の開口を覆い着脱可能な防水蓋とを有し、防水蓋は、着脱操作を行うための操作ケースであって、収納部の開口の内周壁部に接触する防水パッキング部材を外周に備えるベース板と、ベース板に積層して取り付けられ収納部の開口の周囲に設けられるはめ込み段差に沿ってはめ込まれるカバー板とを含み、ベース板とカバー板との間に可動空間を形成する操作ケースと、操作ケースの可動空間内に保持され、カバー板に設けられる操作穴を通して可動空間内でその位置を変更操作できる可動部材であって、可動部材の位置の変更に連動して収納部の開口の内周壁部に設けられる係止溝に対しはまり込み又は外れる出入り爪部を有する可動部材と、を備えることが好ましい。
【発明の効果】
【００１３】
上記構成の少なくとも１つにより、計時装置ははめ込み部を有し、スタンドは受け部を有し、受け部とはめ込み部の協働により計時装置をスタンドに立て位置で保持する。そして、簡単操作部は、機能操作ボタンの数より少なくかつ２以下の数でありかつ機能操作ボタンより押し面積が大きい。したがって、立て位置で押し面積の大きい簡単操作部を押すことで計時ができ、操作性が格段によくなる。
【００１４】
また、上記構成の少なくとも１つにより、はめ込み部がスタンドの受け部に係止されたときに、複数の機能操作ボタンの機能が簡単機能に制限されて切り替えられ、簡単操作部の操作により制限された簡単機能の計時が行われる。したがって複数の機能ボタンを有する計時装置を用いながら、簡単な操作で計時を行うことが可能となる。
【００１５】
また、上記構成の少なくとも１つにより、はめ込み部に着脱自在の保護キャップを有するので、はめ込み部にごみ等の付着を防止し、静電気の回り込みを防止することができる。
【００１６】
また、上記構成の少なくとも１つにより、ボールプランジャ機構によりはめ込み部と受け部の係止を行うことで、計時装置をスタンドに対し任意の傾き角度でしっかり保持することができ、見やすい立て位置でしっかり保持できる。
【００１７】
また、上記構成の少なくとも１つにより、充電をはめ込み部と受け部との係止により行うことができるので、例えば、バックライトや、振動報知機能等を有していて消費電力が大きな計時装置を用いることができる。
【００１８】
また、上記構成の少なくとも１つにより、計時開始予報手段により、所定時間の間に、計時対象の作業準備を整える余裕時間がとれ、計時がより正確になる。
【００１９】
また、上記構成の少なくとも１つにより、上部筐体を計時装置の複数の機能操作ボタンにかぶせたときに機能切り替え回路は機能操作ボタンの機能を制限して切り替える。したがって、上部筐体を計時装置の上部にかぶせる操作で自動的に機能操作ボタンの機能が切り替わるので、簡単な操作で機能切り替えを行うことができる。
【００２０】
また、上記構成の少なくとも１つにより、スタンドは、計時装置の機能切り替え回路を操作する操作部を一端部に有する。そして、下部筐体の受け部にケースのはめ込み部を係止して計時装置をスタンドに立て位置で保持し、上部筐体の一端部を計時装置の複数の機能操作ボタンにかぶせ、上部筐体を押す操作により計時を行う。したがって、スタンドに計時装置を立て、上部筐体を押す簡単な操作のみによって、機能切り替え回路を操作し計時を行うことができる。
【００２１】
また、上記構成の少なくとも１つにより、スタンドは、計時装置に着脱可能で、計時装置の裏面のはめ込み部にスタンドの受け部をはめ込んで係止することで計時装置を立て位置とする。そして、はめ込み部の奥に機能切り替え回路を操作する押しボタン機構が備えられ、スタンドにより計時装置を立て位置にして表示面を押す操作により機能切り替え回路を操作し計時を行う。したがって、スタンドに計時装置を立て、表示面を押す簡単な操作のみによって、機能切り替え回路を操作し計時を行うことができる。つまり、スタンドは、計時装置を立て位置にする機能とともに、押しボタン機構を動作させる操作部の機能を併せ持つものである。
【００２２】
また、上記構成の少なくとも１つにより、スタンドは、計時装置の裏面部に収納可能に取り付けられ、スタンドを張り出すことで計時装置を立て位置とする。そして、収納くぼみの奥に機能切り替え回路を操作する押しボタン機構が備えられ、スタンドにより計時装置を立て位置にして表示面を押す操作により機能切り替え回路を操作し計時を行う。したがって、スタンドに計時装置を立て、表示面を押す簡単な操作のみによって、機能切り替え回路を操作し計時を行うことができる。つまり、スタンドは、計時装置を立て位置にする機能とともに、押しボタン機構を動作させる操作部の機能を併せ持つものである。
【００２３】
また、上記構成の少なくとも１つにより、電池を収納する収納部と、収納部の開口を覆い着脱可能な防水蓋とを有し、防水蓋は、可動空間を有する操作ケースと、可動空間内で位置を変更できる可動部材とを有し、可動部材には、可動部材の位置の変更に連動して開口の内周壁部の係止溝をはまり込み又は外れる出入り爪部を有する。そして可動部材はカバー板の操作穴を通してその位置を変更操作できる。したがって、可動部材の位置を変更操作することで出入り爪部を出し入れして、操作ケース、すなわち蓋を収納部の係止溝に対して着装あるいは外すことができる。そして、可動部材の位置の変更には蓋を押す等の動作は特に必要ではなく、蓋の着脱に伴う変形や破損を抑制することができる。
【００２４】
また、防水蓋における操作ケースは、防水パッキング部材を外周に備えるベース板に、操作穴を有するカバー板が積層され、可動部材はベース板とカバー板との間の可動空間内で位置を変更する。つまり、可動部材の操作及び出入り爪部の動作は、収納部に対し防水パッキングの上部で行われる。したがって、防水性能は防水パッキングと収納部の開口内周壁との密閉性で決まり、可動部材の操作や出入り爪部の動作に左右されることがなく、安定した防水性能を得ることができる。また、防水パッキングと収納部の開口内周壁との間の摩擦等で、出入り爪部が係止溝から外されただけではまだ蓋は開口から離脱しない。したがって、蓋を外すには、蓋の離脱動作が必要であるので、蓋が自然に外れ行方不明になるという事故の発生を防ぐことができる。
【００２５】
以上述べたように、本発明に係る計時装置とスタンドの組合せによれば、複数の機能ボタンを有する計時装置を用いながら、簡単な操作で計時を行うことが可能になる。
【発明を実施するための最良の形態】
【００２６】
以下に図面を用いて本発明に係る実施の形態につき詳細に説明する。以下において、計時装置は、３つの機能操作ボタンを有するものとしたが、機能操作ボタンの数は２個以上であれば、３つ以外の数であってもよい。また、計時装置は電子式計時とし、計時表示画面をディジタル液晶表示画面としたが、機械式計時でアナログ針表示であってもよく、また電子式計時であっても計時表示画面は液晶表示以外の発光ダイオード表示、プラズマディスプレイ等であってもよく、またバックライトを備える表示画面であってもよい。
【００２７】
図１は、計時装置とスタンドの組合せ１０を示す図で、計時装置とスタンドの組合せ１０は、計時装置２０とスタンド５０とから構成され、計時装置２０はスタンド５０に対し着脱が可能である。スタンド５０から外して単独で用いるときの計時装置２０の機能は、一般的な多機能計時装置である。かかる計時装置２０の主要部分は、一般的な液晶表示式の電子計時装置で構成することができる。すなわち、計時装置２０は、ケース２２の頂部に複数の機能操作ボタン２４，２６，２８を有し、ケース２２の表示面に液晶ディスプレイ３０を備え、計時電子回路等を含む計時機構４０をケース２２内部に備える。計時装置２０の電源としては、ケース内部に収納され交換可能な円筒型あるいはボタン型の１次電池を用いることができる。
【００２８】
複数の機能操作ボタン２４，２６，２８は、例えば、モード選択ボタン２４と、計時作業の開始・再開と停止を行うスタート／ストップボタン２６と、スプリット／リセット／セットボタン２８とすることができる。ここでモード選択ボタン２４を順次押してゆくことで、時刻表示の時計モードや計時を行うストップウオッチモード等の複数モードの中から１つを選択することができる。また、スタート／ストップボタン２６を押すことで、計時をしていないときは計時を開始でき、計時を行っているときは計時を停止することができる。また、スプリット／リセット／セットボタン２８を押すことで、計時が停止しているときは表示をリセットし、計時途中のときには計時を継続しつつ一旦表示をそこで止めて、いわゆるスプリットタイムを表示することができる。継続している計時に戻すには、もう一度スプリット／リセット／セットボタン２８を押せばよい。
【００２９】
計時装置２０におけるはめ込み部３２は、ケース２２の底部、すなわちケース２２の周辺部において複数の機能操作ボタン２４，２６，２８が設けられる側と反対側に設けられ、ケース２２より張り出した略円筒状の部材である。その両端には一対の三角錐状のくぼみ３４ａ，３４ｂ（図１では一方側の３４ｂのみ図示されている）が設けられ、後述するスタンド５０に設けられる一対の受け部６２ａ，６２ｂのボールプランジャ機構のボールと協働して、計時装置２０をスタンド５０に係止して保持する機能を有する。
【００３０】
はめ込み部３２に取り付けられたひも３６は、計時装置２０を単独で使用する際に適当な掛け場所に掛けておくための掛け紐である。例えば、ひも３６のループ部分を測定者の首に掛け計時装置２０を手に持って測定を行うことができる。ひも３６が通されたキャップ３８は、はめ込み部３２に着脱自在にはまりあう内面を有し、はめ込み部３２を保護する保護キャップである。キャップ３８は樹脂成型品等で得ることができる。例えば絶縁性透明樹脂で成型したものを用いることができる。キャップ３８によりはめ込み部３２をカバーすることで、ごみや水分等の付着を防止し、また後述のようにはめ込み部３２の表面あるいは浅い内部に充電用端子等の電気的端子が設けられているときに、水等による短絡を防ぎ、静電気の回り込みを防止することができる。
【００３１】
計時装置２０における機能切り替え回路４２は、はめ込み部３２が受け部６２ａ，６２ｂに係止されたことを検出して、複数の機能操作ボタン２４，２６，２８の機能を制限して簡単機能に切り替える回路である。機能切り替え回路４２は、独立回路として構成することもでき、あるいは計時機構４０に含まれる計時電子回路の一部として構成してもよい。
【００３２】
はめ込み部３２と受け部６２ａ，６２ｂの係止による機能の切り替えは、モード選択ボタン２４の機能を停止し、スタート／ストップボタン２６の機能とスプリット／リセット／セットボタン２８の機能を同一の簡単機能となるように制限する。簡単機能とは、最初の押し操作により計時をスタートし、次の押し操作により計時を停止し、押し操作が所定時間以上、例えば２秒以上のときは、計時をリセットする機能である。すなわち、簡単機能に切り替わると、スタート／ストップボタン２６又はスプリット／リセット／セットボタン２８の少なくともいずれか一方を押し操作することで、計時開始、計時停止、リセットを行うことができる。
【００３３】
スタンド５０は、下部筐体６０と上部筐体９０が各一方端においてヒンジ機構８０により接続されて構成される。下部筐体６０と上部筐体９０の平面寸法は同一で、計時装置２０が内部に収納できる程度の大きさに設定される。下部筐体６０も上部筐体９０も樹脂成形品で得ることができるが、上部筐体９０は、計時装置２０の収納状態が見えるように透明樹脂成形品であることが好ましい。
【００３４】
下部筐体６０におけるヒンジ機構８０と反対側の端部には一対の受け部６２ａ，６２ｂが設けられる。また、下部筐体６０の底面には、計時装置２０を受け入れる収納くぼみ６６が設けられる。受け部６２ａ，６２ｂは、略円筒状の部材で、計時装置２０のはめ込み部３２に対応して設けられる。図２は、はめ込み部３２と受け部６２ａ，６２ｂの対応関係を示す断面図である。受け部６２ａ，６２ｂは、互いに向き合った一対のボールプランジャ機構６８ａ，６８ｂを内部に備える。各ボールプランジャ機構６８ａ，６８ｂは、はめ込み部３２の各くぼみ３４ａ，３４ｂにはまり込む大きさのボール７０ａ，７０ｂと、各ボール７０ａ，７０ｂに付勢力を与えるコイルばね７２ａ，７２ｂを含む。
【００３５】
このような構成において、計時装置２０のはめ込み部３２を下部筐体６０の一対の受け部６２ａ，６２ｂの間に差し込むことで、はめ込み部３２の各くぼみ３４ａ，３４ｂに各ボール７０ａ，７０ｂがはまり込み、計時装置２０を任意の角度で下部筐体６０に係止させることができる。図３は、はめ込み部３２の各くぼみ３４ａ，３４ｂに各ボール７０ａ，７０ｂがはまり込んだ状態を示す図である。
【００３６】
下部筐体６０の底面には、一対の受け部６２ａ，６２ｂの中間位置に磁石７４が設けられ、これに対応したはめ込み部３２の内部の位置に磁気センサ７６が設けられる。磁気センサ７６の両端子は機能切り替え回路４２に接続される。すなわち、磁気センサ７６は、はめ込み部３２と受け部６２ａ，６２ｂとの近接を磁石７４からの磁界の強さの変化により検知し、機能切り替え回路４２に入力する機能を有する。かかる磁気センサ７６は、例えば磁気感応式リードスイッチで得ることができる。
【００３７】
上部筐体９０におけるヒンジ機構８０と反対側の端部には簡単操作部９２が設けられる。簡単操作部９２は、線ばね等の復元機構により上部筐体９０に支持された押し機構である。図４は、計時装置２０を下部筐体６０に係止して立て位置とし、上部筐体９０の開口端の部分が計時装置２０の頂部を覆うようにした状態を示す図である。図４に示すように、簡単操作部９２は、計時装置２０の複数の機能操作ボタン２４，２６，２８の配置に対応して、これらを覆うように各部の形状が設定される。図５及び図６は、簡単操作部９２と、各機能操作ボタン２４，２６，２８との関係を示す正面図及び側面図である。簡単操作部９２は、スタート／ストップボタン２６側の右押し部９４ｂと、スプリット／リセット／セットボタン２８側の左押し部９４ａとの２つの押し部と、その間を接続しばね性を有する細いブリッジ部９６とを含む。図５、図６からわかるように、簡単操作部９２の押し面積は、各機能操作ボタン２４，２６，２８の押し面積に比べかなり大きくなっている。かかる簡単操作部９２は、一体化した樹脂成形により得ることができる。ブリッジ部９６は、モード選択ボタン２４に接触しない形状に設定される。右押し部９４ｂ及び左押し部９４ａは、図示されていない線ばね等により復元力が与えられ、通常では、双方とも図５の＋Ｚ方向に押し上げられている。図５に示すように、右押し部９４ｂが手等により押し下げられると、ブリッジ部９６の弾性により右押し部９４ｂのみ−Ｚ方向に移動し、スタート／ストップボタン２６と接触してこれを押し下げる。逆に左押し部９４ａが手等で押し下げられると、スプリット／リセット／セットボタン２８のみを押し下げる。
【００３８】
かかる構成の作用を説明する。計時装置２０とスタンド５０の組合せ５０は、初期状態あるいは計時が行われていない停止状態において、図７に示すように、下部筐体６０と上部筐体９０とが折り畳まれ、その内部に計時装置２０が収納される。すなわち、下部筐体６０と上部筐体９０を折り畳むことで、計時装置２０を外から見える状態で内部に収納し、販売・流通等における個装箱として用いることができる。計時装置を単独で使用したいときは、上部筐体９０を下部筐体６０に対し開いて計時装置２０を下部筐体６０から取り外す。計時装置２０と下部筐体６０との係止は、ボールプランジャ機構でボールがくぼみにはまり込んでいるだけなので、引き抜く操作により容易に計時装置２０単体を取り出すことができる。単体で使用するときは、はめ込み部３２の保護のためキャップ３８をかぶせて用いることができる。
【００３９】
計時装置２０を立て位置において簡単操作で用いたいときは、上部筐体９０を下部筐体６０に対し開き、図４に示すように計時装置２０をはめ込み部３２と受け部６２ａ，６２ｂの係止状態のまま約４５−７０度の角度で起こし、上部筐体９０の簡単操作部９２を計時装置２０の機能操作ボタンにかぶせるようにセットする。この状態で、すでに磁気センサによりはめ込み部３２と受け部６２ａ，６２ｂの係止が検出されており、機能切り替え回路により簡単機能への切り替えが行われている。そこで計時対象の作業の準備をし、簡単操作部９２を一度押すと、計時が開始する。計時対象の作業を進め、作業が終われば簡単操作部９２をもう一度押す。このことで計時が終了し、液晶ディスプレイ３０に計時結果が表示される。次の計時を行いたいときは、簡単操作部９２を２秒以上押しつづけることで計時及び表示がリセットされるので、その後簡単操作部９２を押して次の計時をスタートさせればよい。なお、簡単操作部９２は、どこを押しても構わない。このように、簡単操作部９２のどこかを押すだけで計時がスタートし、簡単操作部９２のどこかを押すだけで計時が終了するので、簡単な操作で計時を行うことができる。
【００４０】
機能切り替え回路４２や磁石７４及び磁気センサ７６を設けないこともできる。この場合でも、図５に示されるように、簡単操作部９２とモード選択ボタン２４との間は十分離れており、簡単操作部９２を操作しても、モード選択ボタン２４を動作させることはない。そして、簡単操作部９２の左押し部９４ａも右押し部９４ｂもその押し面積は元のスプリット／リセット／セットボタン２８やスタート／ストップボタン２６の押し面積よりかなり広い。したがって、指で押すことのみならず、手のひらで押す又は叩く等の動作で簡単操作部９２を操作でき、しかもこの広い面積の中であればスタート／ストップ操作あるいはスプリット／リセット／セット操作を確実におこなうことができ、操作性が格段によくなる。
【００４１】
図８は、別の実施の形態の簡単操作部１９２の例を示す図である。簡単操作の機能の内容は、上記の説明と同一とする。簡単操作部１９２は、図示されていない線ばね等の復元手段により、通常は図８に示す＋Ｚ方向に押し上げられている。そこで、手等で簡単操作部１９２が押し下げられると、どこが押されても簡単操作部１９２は−Ｚ方向に平行に移動する。このとき、簡単操作部１９２は、各機能操作ボタン２４，２６，２８を押し下げることになるが、上述の機能切り替えにより、モード選択ボタン２４の機能は停止され、スタート／ストップボタン２６の機能とスプリット／リセット／セットボタン２８の機能は同一であるので、あたかも１種類のボタンしかないように機能する。このようにして、簡単操作部１９２のどこかを押すだけで計時がスタートし、簡単操作部１９２のどこかを押すだけで計時が終了するので、簡単な操作で計時を行うことができる。
【００４２】
なお、機能切り替えは、これ以外の簡単モードであってもよい。例えば、図５の右押さえ部９４ｂと左押さえ部９４ａとを区別できるときは、右押さえ部９４ｂにスタート／ストップ機能を持たせ、左押さえ部９４ａにリセット機能を持たせることができる。この場合、左押さえ部９４ａを２秒以上押さえ続けるのでなく、単に押すだけでリセットするようにできる。
【００４３】
このように、機能切り替え回路４２の内容の設定により、簡単機能の内容を定めることができる。計時装置２０ごとに異なる機能切り替え回路４２を設け、その計時装置２０はその１種類の簡単機能のみしか切り替えられないようにすることもできる。この場合には、計時装置２０をスタンド５０に係止されたことを検出すると、そのときの計時モードが何であれ、その簡単機能に自動的に切り替わる。
【００４４】
また、例えば、機能切り替え回路４２の内容をソフトウエアで構成し、ソフトウエアの種類を選択することで、ユーザが簡単機能を選択して設定するようにしてもよい。簡単機能選択ボタンは新設してもよく、あるいはモード選択ボタン２４を利用するようにしてもよい。この場合には、予め簡単機能を設定して計時装置２０をスタンド５０に係止すると、設定された簡単機能に自動的に切り替わる。あるいは、計時装置２０をスタンド５０に係止し、上部筐体９０を計時装置２０にまだかぶせていない状態で簡単機能を設定して切り替えるようにしてもよい。
【００４５】
図９、図１０は、他の実施の形態のはめ込み部１３２と受け部１４０を示す図である。図９において、下部筐体６０に設けられる受け部１４０は、図９に示すＹＺ平面上に扇形をなす部材である。これに対応してはめ込み部１３２に受け部１４０を受け入れる溝１４２が設けられ、溝１４２の途中に一対のボールプランジャ機構１６８ａ，１６８ｂが向き合って配置される。したがって、はめ込み部１３２の溝１４２に受け部１４０を挿入すると、一対のボールプランジャ機構１６８ａ，１６８ｂの作用により、はめ込み部１３２と受け部１４０とが係止される。受け部１４０に予め各ボール１７０ａ，１７０ｂを受け入れるくぼみを設けてもよい。
【００４６】
はめ込み部１３２と受け部１４０の近接は、溝１４２の奥に設けられた検出機構により検出される。すなわち、溝１４２の奥には、ボール１５０とばね押し軸１５２と板ばね１５４と接触部材１５６とがこの順に配置される。板ばね１５４と接触部材１５６は、スイッチケース１５８に支持され、通常は図９に示す−Ｚ方向に復元力が働いており、また接触部材１５６は、回路基板１６０に向き合っている。この構成において、受け部１４０がはめ込み部１３２に挿入されていないときは、接触部材１５６と回路基板１６０とは接触していない。受け部１４０がはめ込み部１３２に挿入されると、受け部１４０の先端がボール１５０を＋Ｚ方向に押し、ばね押し軸１５２が板ばね１５４を押し上げて接触部材１５６と回路基板１６０とが接触する。この接触を電気信号に変換することではめ込み部１３２と受け部１４０の近接を検出することができる。なお、計時装置２０を単体で使用する際、溝１４２に対する汚染や静電気による影響の問題を防止するために、図１で説明したキャップ３８を用いてはめ込み部１３２をカバーすることができる。
【００４７】
図１１から図１３は、計時装置２０の内部に充電池２１０を設け、スタンド５０に充電池２１０を充電する電源部２００を備えて、必要に応じ電源部２００から充電池２１０を充電する実施の形態を示す図である。充電池２１０として例えば単５ニッカド電池、電源部２００として単４アルカリ電池を用いることができる。あるいは電源部２００としてＡＣ／ＤＣ変換充電器や太陽電池を用いてもよい。はめ込み部３２と一対の受け部６２ａ，６２ｂの構造は図２、図３で説明したものと基本的には同じである。はめ込み部３２には、一対のくぼみに代えてくぼみを有するくぼみ電極部２３４ａ，２３４ｂが設けられ、それぞれ充電池２１０の各電極に配線２１２ａ，２１２ｂにより接続される。受け部６２ａ，６２ｂの各ボールプランジャ機構６８ａ，６８ｂにもそれぞれ金属電極部２７２ａ，２７２ｂが設けられ、配線２１４ａ，２１４ｂにより電源部２００と接続される。このようにして、はめ込み部３２と受け部６２ａ，６２ｂの係止により、充電池２１０を電源部２００により充電することができる。なお、くぼみ電極部２３４ａ，２３４ｂは表面に露出するが、計時装置２０を単体で使用するときの汚染等や静電気による問題を防止するために、図１で説明したキャップ３８を用いてはめ込み部３２をカバーすることができる。
【００４８】
上記において、簡単機能として、簡単操作部の押し操作により計時の開始と終了を行うスタート／ストップモード計時を説明した。このモードを発展させ、簡単操作部を押してから所定時間経過後に計時開始のスタート音を出力するとともに計時が実際に開始する計時開始遅延モードとしてもよい。具体的には、計時電子回路において新しく計時開始遅延回路と予報音出力回路を設け、モード選択ボタン２４の操作により計時開始遅延モードが選択できるようにする。そして、計時開始遅延モードにおける複数の機能操作ボタンの役割を割り付ける。例えば、計時開始遅延モードが選択されたときに、スプリット／リセット／セットボタン２８によって、計時開始遅延の所定時間、例えば５秒を設定できるものとする。この機能を有する計時装置をスタンドに係止したときには、簡単操作部を押してもすぐには計時が開始せず、５秒後にスタート音が出ると同時に計時を開始する。
【００４９】
また、簡単機能をスタート／ストップモード計時から発展させ、簡単操作部の押し操作により計時の開始を行い、予め設定された予定時間に本鈴を示す終了音を出し、それに先立って予定時間より前の予鈴時間に達したとき予報音を出力する予鈴／本鈴モードとしてもよい。具体的には、計時電子回路において新しく予鈴／本鈴時刻検出回路と、予報音／終了音出力回路を設け、モード選択ボタン２４の操作により予鈴／本鈴モードが選択できるようにする。そして、予鈴／本鈴モードにおける複数の機能操作ボタンの役割を割り付ける。例えば、予鈴／本鈴モードが選択されたときに、スタート／ストップボタン２６によって、本鈴時間設定か予鈴時間設定か等の設定セレクト機能を行わせ、スプリット／リセット／セットボタン２８によって、本鈴時間又は予鈴時間の所定時間、例えば本鈴時間を４５分、予鈴時間をその５分前と設定できるものとする。この機能を有する計時装置をスタンドに係止したときには、簡単操作部を押すことで計時が開始し、４０分経過したときに予鈴音が出され、４５分経過すると終了音が出される。計時は終了音が出されても継続してもよい。そのことで、延長時間等を知ることができる。
【００５０】
上記において、機能切り替え回路の切り替え操作は、スタンドの受け部が計時装置のはめ込み部にはめ込まれることによって行われるものとして説明した。この他に、スタンドの上部筐体が計時装置にかぶせられることを検出し、それにより機能切り替え回路の切り替え操作を行うものとしてもよい。図１４、図１５の計時装置とスタンドの組合せ３１０は、計時装置３２０に磁気センサ３１２、スタンド３５０の上部筐体３９０に磁石３１４を備え、磁気センサ３１２が磁石３１４の近接を検出し、それに基づいて機能切り替え回路４２の切り替え操作を行う。図１４は、計時装置３２０とスタンド３５０をそれぞれ示し、図１５は、スタンド３５０に計時装置３２０を立てたときの様子を示す図である。図１、図２と同様の要素については同一の符号を付し、詳細な説明を省略する。
【００５１】
磁気センサ３１２は、計時装置３２０の上部で、スタンド３５０の上部筐体３９０が覆いかぶさる部分に配置されることが好ましい。また、磁石３１４は、上部筐体３９０の前面側における部材の裏側等に配置し、上部筐体３９０を計時装置３２０に覆いかぶせたときに磁気センサ３１２に十分近接する位置とすることが好ましい。また、磁気センサ３１２と磁石３１４との組合せを用いるほかに、容量型あるいは光検出型あるいは接触式の近接センサを用いるものとしてもよい。このような構成をとることで、上部筐体３９０を計時装置３２０の上部にかぶせる操作で機能切り替え回路４２の切り替え操作が行われ、機能操作ボタン２４，２６，２８の機能が自動的に切り替わるので、簡単な操作で機能切り替えを行うことができる。
【００５２】
上記において、機能切り替え回路の切り替え操作と、計時を開始し停止させる操作とは別に行うものとして説明した。機能切り替え回路の切り替え操作により切り替えられた簡単操作の計時の内容が計時開始及び計時停止等の比較的簡単な内容のときは、機能切り替え回路の切り替え操作と、計時操作とを兼ねて行わせることができる。例えば、ボタンを押すと、機能切り替え回路によって単純計時を行う簡単モードに切り替わるとともに、その単純計時の計時を開始させ、ボタンを再度押すことで単純計時の計時を停止させる等のことで、操作をより簡単にすることができる。
【００５３】
図１６、図１７は、計時装置とスタンドの組合せ４１０において、計時装置４２０に押しボタン機構４１２を設け、スタンド４５０の上部筐体４９０に押しボタン機構４１２を押し込むための操作部４１４を設ける場合を示す図である。押しボタン機構４１２は機能切り替え回路４２に接続され、操作部４１４と押しボタン機構４１２との協働作用により、機能切り替え回路４２の切り替え操作が行われ、さらに、機能が切り替えられるときにその計時も開始される。図１６は、計時装置４２０とスタンド４５０をそれぞれ示し、図１７は、スタンド４５０に計時装置４２０を立てたときの様子を示す図である。図１、図２と同様の要素については同一の符号を付し、詳細な説明を省略する。
【００５４】
押しボタン機構４１２は、操作部４１４を受け入れるガイド穴と、そのガイド穴の奥に押し動作によりスイッチの開閉を行うスイッチ部が配置されるものである。押しボタン機構４１２は、計時装置４２０の上部で、スタンド４５０の上部筐体４９０が覆いかぶさる部分に配置されることが好ましい。例えば、計時装置４２０の上部のほぼ中央の位置にガイド穴を設け、その奥にスイッチ部を配置して構成することができる。押しボタン機構４１２のスイッチ部は、十分な復元力を有し、操作部４１４と接触する上面は、その復元力で上方に押し上げられている。また、スタンド４５０の上部筐体４９０を計時装置４２０にかぶせ、操作部４１４が押しボタン機構４１２のスイッチ部の上面に接触しただけでは、まだ押し込まれず、スイッチ部からの信号は変化しない程度の復元力を有している。そして、スタンド４５０の上部筐体４９０を手等で押すと、初めて操作部４１４が押しボタン機構４１２を押し込み、スイッチ部からの信号が変化する。
【００５５】
操作部４１４は、上部筐体４９０の前面側における部材の裏側等に配置される操作片で、例えば、棒状のもので構成できる。その配置位置は、上部筐体４９０を計時装置４２０に覆いかぶせたときに、その先端が押しボタン機構４１２の上面に接触するような位置関係で配置されることが好ましい。
【００５６】
このような構成の計時装置とスタンドの組合せ４１０の作用を説明する。計時装置４２０をスタンド４５０から外して用いるとき等のように、操作部４１４と押しボタン機構４１２とが離れているときは、押しボタン機構４１２は機能切り替え回路４２に影響を与えず、機能操作ボタン２６，２８の機能は切り替わらない。すなわち、誤操作により簡単機能に切り替わることを防ぐことができる。また、スタンド４５０の上部筐体４９０を計時装置４２０にかぶせ、操作部４１４が押しボタン機構４１２に接触しただけでは、まだ押しボタン機構４１２は機能切り替え回路４２に影響を与えず、機能操作ボタン２６，２８の機能は切り替わらない。そして、スタンド４５０の上部筐体４９０を手等で押すと、初めて操作部４１４が押しボタン機構４１２を押し込み、押しボタン機構４１２からの信号が変化し、機能切り替え回路４２に伝えられて機能操作ボタン２６，２８の機能が簡単機能に切り替えられる。それとともに切り替わった簡単機能の計時が開始する。
【００５７】
このように、上部筐体４９０を計時装置４２０の上部にかぶせる操作で機能切り替え回路４２の切り替え操作及び切り替えられた簡単機能の計時が開始される。開始された計時を終了させるには、例えば、上部筐体４９０をもう一度押す操作を用いるように計時装置４２０の内容を設定するものとしてもよい。したがって、上部筐体４９０を計時装置４２０の上部にかぶせる簡単な操作で、機能切り替え回路４２を操作し計時を行うことができる。
【００５８】
図１等で説明した計時装置とスタンドの組合せ１０等は、スタンド５０が計時装置２０の収納ケースも兼ねるように工夫されている。これとは別に、スタンドの形態を、計時装置を立て位置あるいは見やすい斜め位置に支える脚として構成することもできる。図１８に示す計時装置とスタンドの組合せ５１０は、スタンド５５０を、計時装置５２０を見やすい斜め位置に支えることができる脚状のものとするものである。そして、通常は図１８（ａ）に示すようにスタンド５５０は計時装置５２０の裏面側の収納くぼみ５１２に畳まれて収納され、計時を行うときは図１８（ｂ）のようにスタンド５５０を計時装置５２０から張り出させて、見やすい立て位置とすることができる。また、このときに、スタンド５５０を、機能切り替え回路の操作部を兼ねさせる構成とすることができる。
【００５９】
図１９は、図１８（ｂ）に破線の円で囲んだ部分の詳細断面図で、スタンド５５０が、スイッチ操作機構を有し、それにより図示されていない機能切り替え回路を操作できることを説明するための図である。計時装置５２０のケースは、表示のための液晶ディスプレイを備える表面側ケース５９０と、その裏側の裏面側ケース５６０とからなり、裏面側ケース５６０に、スタンド５５０を畳んで収納できる収納くぼみ５１２が設けられる。スタンド５５０は、回転軸５１４により裏面側ケース５６０に取り付けられる。図１９は、スタンド５５０が収納くぼみ５１２から外側に向かって回転され、計時装置５２０の裏面側に張り出しているときを示している。このときをスタンド５５０の立て位置とすると、この状態において、スタンド５５０は計時装置５２０の底面部とともに計時装置５２０を机等の支持面に対して支えることができる。
【００６０】
図１９に示すように、押しボタン機構５１６が収納くぼみ５１２の奥で、スタンド５５０が立て位置のときのスタンド５５０における先端部に接触する位置関係のところに、押しボタン機構５１６が設けられる。押しボタン機構５１６は、スタンド５５０の先端部側から計時装置５２０の奥に向かって順に、接触ボタン部５３０−シャフト５３２−クリックバネ５３４−ラバースイッチ５３６−スイッチケース５３８−スイッチ基板５４０と配置される。
【００６１】
接触ボタン部５３０は、スタンド５５０の先端部と接触する部分の部材で、シャフトは接触ボタン部５３０の動きをラバースイッチ５３６の方向に伝達する部材である。これらは適当なプラスチック成形品で得ることができる。クリックバネ５３４は、中心部がシャフト５３２に取り付けられ、周辺部が計時装置５２０のケースに取り付けられるコイル板バネで、シャフト５３２を接触ボタン部５３０側に付勢する機能を有する。ラバースイッチ５３６は、弾性を有し、シャフト５３２が接触するとそれを検出する機能を有するスイッチング素子である。ラバースイッチ５３６、クリックバネ５３４等は、スイッチケース５３８に収められている。スイッチ基板５４０は、スイッチケース５３８が取り付けられ、ラバースイッチ５３６からの信号を外部へ出力するための端子等を有する基板である。
【００６２】
かかる構成の押しボタン機構５１６の作用について図２０−図２５を用いて説明する。図２０は、スタンド５５０を計時装置５２０に取り付ける前の様子を示す図である。スタンド５５０には回転軸５１４が取り付けられており、計時装置５２０の収納くぼみ５１２にはその回転軸５１４を支持する穴５１８が設けられる。穴５１８は、以下に示すスタンド５５０の回転操作に適するクリアランスを有する適当な大きさの穴、又は長穴であることが望ましい。図２１は、スタンド５５０が計時装置５２０に取り付けられ、収納くぼみ５１２の内部に畳まれて収納されている様子を示す図である。このように、スタンド５５０は収納くぼみ５１２の内部にすっぽり収納され、例えば、計時装置５２０を手で持って操作するときにスタンド５５０の存在をまったく気にすることがないようにできる。なお、この状態では、クリックバネ５３４の復元力により、接触ボタン部５３０は、スタンド５５０の側面に向けて押し付けられており、ラバースイッチ５３６は作動していない。したがって、誤って簡単機能に切り替わることを防止することができる。
【００６３】
図２２から図２４は、スタンド５５０を計時装置５２０の裏面側から張り出させて立て位置にする過程を示す図である。最初に図２２の押し矢印に示すように、スタンド５５０の頭の部分を押してスタンド５５０の脚部を手前側に起こし、次いで図２３の回転矢印に示すように、スタンド５５０の脚部を持って回転軸５１４周りに回し、図２４に示すように、スタンド５５０の側面が収納くぼみ５１２の側壁に突き当たるまで張り出させる。この過程で、接触ボタン部５３０は若干奥側に押し込まれがちとなるが、スタンド５５０の頭部の寸法や形状、また回転軸５１４とそれを支持する穴５１８とのクリアランス等を適当に設計し、この過程においてラバースイッチ５３６を作動させないようにすることが好ましい。
【００６４】
図２４においてスタンド５５０が収納くぼみ５１２の側壁に突き当たるまで回されて計時装置５２０より張り出させることで、スタンド５５０と計時装置５２０の底面部により計時装置５２０を見やすい姿勢に立てることができる。そしてこの状態では、接触ボタン部５３０は、クリックバネ５３４の復元力により、スタンド５５０の先端部側に付勢されており、ラバースイッチ５３６は作動していない。つまり、スタンド５５０を立て位置にして、計時装置５２０を見やすい姿勢に立てただけではラバースイッチ５３６は作動せず、機能切り替え回路は切り替え動作をしない。
【００６５】
図２５は、計時装置５２０の表面側を矢印方向に押し付けた場合を示す図である。このとき、押し付け力が十分大きければ、クリックバネ５３４の復元力に打ち勝って接触ボタン部５３０を奥に向かって十分に押し込むことができ、ラバースイッチ５３６を作動させることができる。このような押し付け力の発生は、計時をしようとする者が、計時装置５２０の広い表示面側を叩くなり、押すなりする操作を行うことで実現できる。
【００６６】
このようにして、スタンドを起こして計時装置を立て、表示面を押す簡単な操作のみによって、機能切り替え回路の切り替え操作及び切り替えられた簡単機能の計時が開始される。開始された計時を終了させるには、例えば、計時装置５２０の広い表示面をもう一度押す操作で計時を停止させるように、計時装置５２０の内部の回路又はソフトウエアを設定するものとしてもよい。したがって、表示面を押す簡単な操作で、機能切り替え回路４２を操作し簡単機能に切り替えることができる。また、機能切り替え回路を操作して簡単機能に切り替えるとともに、その簡単機能の計時を開始させるものとすることができる。
【００６７】
図２６、図２７は、別のスタンド６５０の形状を説明する図である。図２６は、スタンド６５０が収納くぼみ５１２にたたまれて収納されている様子を示す図で、図２７は、スタンド６５０の正面図及び側面図である。このスタンド６５０は、収納くぼみ４１２に取り付けられる回転軸６１４に対する長穴６１８を有している。長穴６１８は、スタンド５５０の回転操作に適するクリアランスのためである。図２０では、クリアランスは、収納くぼみ５１２に設けられる穴５１８に付されている。また、このスタンド６５０は、立て位置にしたときに、接触ボタン部５３０と突き当たる突き当て部６５２を有する。これらにより、スタンド６５０の位置決めをより確実に行うことができる。
【００６８】
図１８−図２７では、スタンドは計時装置に取り付けられ、収納位置と張り出し位置とを取るものとして説明した。図２８は、スタンド７５０を計時装置７２０に対し、着脱可能とするものである。図２８において計時装置７２０は裏面側が示されており、その裏面側に収納くぼみ７１２が設けられる。図示されていないが収納くぼみ７１２の奥には適当な押しボタン機構が設けられている。スタンド７５０は、収納くぼみ７１２に取り付けるための取付部７１４が設けられる。取付部７１４は、スタンド７５０の側面から出入り自在、すなわち通常はスタンド７５０の側面より張り出しているが、押すことで内部に引っ込む機能を有する。
【００６９】
かかる取付部７１４を有するスタンド７５０の正面図と側面図を図２９に示す。ここで図２９の正面図を一部破断面として取付部７１４の内部構造を示す。取付部７１４は、先端が略半球状の一対の可動軸と、その間に設けられるコイルバネ７１６とで構成することができる。したがって、収納くぼみ７１２に、取付部７１４に対応する半球状のくぼみあるいは穴を設け、また収納くぼみ７１２のくぼみの幅をスタンド７５０の幅より若干大きめに設定しておき、スタンド７５０を収納くぼみ７１２に押し込むことで、スタンド７５０を収納くぼみ７１２に着脱自在に取り付けることができる。すなわち、スタンド７５０の幅を収納くぼみ７１２の幅に合わせ押し込めば、取付部７１４の半球状先端が滑ってその摩擦力で一対の可動軸が引っ込む。そして、収納くぼみ７１２に設けられた半球状のくぼみ又は穴のところで可動軸が出っ張り、コイルバネ７１６の押し付け力によりスタンド７５０を収納くぼみ７１２に取り付けることができる。
【００７０】
スタンド７５０は取付部７１４の軸周りに回転可能であるので、スタンド７５０を図２８に示す姿勢として、計時装置７２０を立てることができ、そのときに図示されていない押しボタン機構を用い、図２０−図２５に説明したと同様に、計時装置７２０の表示面を押すことで、機能切り替え回路を操作し計時を行わせるようにできる。
【００７１】
このようにスタンド７５０を着脱可能にすることで、スタンド７５０の形状を計時の場面に適合するものを選択し、付け替えることが容易となる。
【００７２】
図３０は、着脱可能な別のスタンド７５１についての正面図及び側面図である。このスタンド７５１は、ボールプランジャ機構の取付部を用いるものである。ボールプランジャ機構の取付部は、一対のボール７１５と、この一対のボール７１５に付勢力を与えるコイルバネ７１７で構成することができる。
【００７３】
計時装置に着脱可能なスタンドは、計時装置にはめ込むものとすることができる。すなわち、図３１に示すように、計時装置８２０の裏面側に設けられるはめ込み部８１２は、スタンド８５０がちょうどはめ込まれるより若干大きめの寸法に設定される。すなわち、スタンド８５０ははめ込み部８１２に差し込まれても、クリアランスで止まっているか、あるいは隙間があって外れてしまうものであってもよい。このようなものでも、はめ込み部８１２にスタンド８５０をセットし、スタンド８５０が外れないようにして計時装置８２０を机等の上に置けば、スタンド８５０を用いて計時装置８２０を見やすく立てることができる。そして、はめ込み部８１２の奥に、図２３−図２５で説明したような押しボタン機構８１４を設けることで、計時装置８２０の表示面を押すことで、機能切り替え回路を操作し計時を行わせるようにできる。
【００７４】
また、図３１におけるひも８１６は、計時装置８２０を単独で使用する際に適当な掛け場所に掛けておくための掛け紐である。例えば、ひも８１６のループ部分を測定者の首に掛け計時装置８２０を手に持って測定を行うことができる。これにスタンド８５０を移動可能に取り付けておくことで、スタンド８５０の紛失を防止することができる。
【００７５】
上記においては、計時装置２０の内部に充電池２１０を設け、必要に応じ電源部から充電池を充電するものとして説明したが、充電池の代わりに、小型の電池を交換するものとしてもよい。この場合には、計時装置の裏面側に電池の収納部を設け、その開口を着脱可能な防水蓋で覆うことが望ましい。そして、防水蓋の着脱に特別な操作具を用いる必要がなく、また、防水蓋の着脱の際に余計な力が加わって防水蓋の変形や破損を生じないことが望ましい。以下に、計時装置とスタンドとを組合せる電子機器に適する電池の収納部と防水蓋について説明する。
【００７６】
図３２は、電子機器としての計時装置９００の裏面斜視図である。計時装置９００は、円筒型単５等の電池９０２を収納する収納部９１０と、収納部９１０の開口９１２を覆い着脱可能な防水蓋９３０を有し、図３２では防水蓋９３０を計時装置９００の本体から防水蓋９３０を外し、収納部９１０の内部を見えるように図示してある。
【００７７】
計時装置９００の収納部９１０は、長方形すなわち矩形の開口９１２を有し、収納部９１０の内部は、表面の開口９１２より一段下がった段差９１４を備え、段差９１４よりも底部側、すなわち計時装置９００本体の内部側は、開口９１２の平面寸法よりやや小さ目の平面寸法を有する。この段差９１４は防水蓋９３０をはめ込むときに収納部９１０の内部に落ち込まないようにするためのもので、防水蓋９３０には後述するようにカバー板９４０の部分にこれに対応する段差が設けられる。この段差９１４から底部、すなわち計時装置９００本体の内部側の空間が、電池９０２を収納する収納空間として利用される。この収納空間の平面寸法は、図３２において内周壁部９１６で囲まれる大きさとして示される。
【００７８】
収納空間の内周壁部９１６には、係止溝９１８が段差９１４に平行に設けられる。この係止溝９１８は防水蓋９３０が開口９１２から外れないように係止するためのもので、これに対応して防水蓋９３０には後に詳述するように出入り爪部９３６が設けられる。
【００７９】
収納部９１０の開口９１２の周辺に設けられるくぼみ９２０は、防水蓋９３０を開口９１２から起して外すために用いられる蓋起こしくぼみである。くぼみ９２０の開口９１２周辺における平面寸法は、棒状の先端形状を有する操作具を受け入れる程度の大きさが好ましく、その深さは、段差９１４よりやや底部側に達するように設定される。棒状の先端形状を有する操作具としては、特殊なものでなく、身近にありふれたものであることが好ましいので、例えば、ボールペンの先、鉛筆の先、爪楊枝、その他身近にある細い棒状のものをそのまま用いることができるように、くぼみ９２０の形状寸法を定める。一例としては、開口９１２周辺の平面寸法を直径１〜２ｍｍの半円又は部分円とし、その深さを１〜３ｍｍ程度とすることがよい。
【００８０】
防水蓋９３０は、つば部を有する略直方体の形状を有し、収納部９１０の開口９１２を十分に覆い、また、収納部９１０の構造と協働して、収納部９１０の内部を外気から密閉する機能を有する。具体的には、防水蓋９３０は、収納部９１０の開口９１２からの着脱操作を行うための操作ケース９３２と、操作ケース９３２の内部に設けられる可動空間内で可動できる可動部材９３４とから構成される。可動部材９３４には出入り爪部９３６が設けられ、可動部材９３４が可動空間内で移動するのに連動して、操作ケース９３２の側壁に設けられた出入り窓から出入り爪部９３６が出たり引っ込んだりする機能を有する。したがって、この出入り爪部９３６が出た状態でこれを収納部９１０の内周壁部９１６に設けられた係止溝９１８にはまり込ませれば、操作ケース９３２を収納部９１０にしっかり固定できることになる。
【００８１】
図３３は、操作ケース９３２の平面図及び２方向からの側面図を用いて可動空間の様子を示す図である。実際には、操作ケース９３２の可動空間内に可動部材９３４が配置されるのであるが、可動空間の様子を示すため、図３３では可動部材９３４を省略してある。図３３に示すように、操作ケース９３２は段差を有する板状のベース板９３８と、底面側に開口を有し、上面につば部を有するカバー板９４０とを積層し、可動空間９４２を形成する。具体的には、カバー板９４０のつば部を有する上面板部９４４の内側壁と、上面板部９４４の下部にめぐらされる側壁部９４６の内側壁と、ベース板９３８の上面とで囲まれるようにして可動空間９４２が形成される。カバー板９４０の側壁部９４６には、出入り爪部９３６が出たり引っ込んだりする出入り窓９４８が設けられる。またカバー板９４０の上面板部９４４には、可動部材９３４の移動を操作するための操作窓９５０が設けられる。出入り窓９４８と操作窓９５０とは、可動空間９４２と接続される。
【００８２】
図３３に示すように、カバー板９４０の上面板部９４４はつば部を有しており、その下部の側壁部９４６との間に段差がある。この段差は、上記のように、収納部９１０の表面の開口９１２より一段下がって設けられる段差９１４に対応するものである。したがって、カバー板９４０の上面板部９４４の平面寸法は、収納部９１０における表面の開口９１２の平面寸法よりやや小さめに設定し、つば部の厚みは、収納部９１０における段差９１４の大きさとほぼ同じにすることが好ましい。また、カバー板９４０における側壁部９４６の外形の平面寸法は、収納部９１０の内周壁部９１６で囲まれる収納空間の平面寸法よりやや小さめに設定される。
【００８３】
ベース板９３８の外形の平面寸法は、カバー板９４０における側壁部９４６の外形の平面寸法とほぼ同じである。つまり、カバー板９４０の開口をベース板９３８の上面にかぶせると、ちょうど同じ平面寸法で接続される。また、ベース板９３８の底面側には、電池９０２の外形に合わせたくぼみ９５２を設けることが好ましい。
【００８４】
また、図３３に示すように、ベース板９３８の側面には気密保持のためのオーリング（Ｏ−ｒｉｎｇ）９５４が配置される。オーリング９５４の配置のためにベース板９３８の側壁には適当な案内溝を設けることが好ましい。オーリング９５４を配置したときの外形の平面寸法は、収納部９１０の内周壁部９１６で囲まれる平面寸法よりやや大きく設定する。これにより、防水蓋９３０を収納部９１０にはめこんだとき、オーリング９５４の弾性により、防水蓋９３０と収納部の内周壁部９１６との間が気密に封止される。そして、オーリング９５４と内周壁部９１６との間の摩擦により、防水蓋９３０は、そのまま何もしなければ抜け落ちることがなく保持される。
【００８５】
図３４は、防水蓋９３０の分解図で、操作ケース９３２のベース板９３８とカバー板９４０とを分離し、その間に可動部材９３４を配置する様子を示す図である。ベース板９３８とカバー板９４０の構成は、可動部材９３４を移動可能に保持し、可動部材９３４の位置変更に連動して出入り爪部９３６をカバー板９４０の出入り窓９４８から出たり引っ込めたりするために適したものとなっている。そこで最初に可動部材９３４の構成を説明し、続いて、可動部材９３４の構成に合わせたベース板９３８とカバー板９４０の構成を説明する。
【００８６】
可動部材９３４は、スライド板９６０と、スライド板９６０の外周部の４隅に回転自在に取り付けられる４つの出入り爪部９３６を含んで構成される。出入り爪部９３６は、先端が半円形等の滑らかな爪状形状を有する爪板である。スライド板９６０は、略直方形の板で、長手方向の両端側にそれぞれ２つづつの出入り爪部９３６が取り付けられ、長手方向に平行な２辺の１つは直線的な辺であるが、もう一方の辺には、短手方向に弾性変形可能な形状のループ部９６２が設けられる。スライド板９６０と各出入り爪部９３６とは、軸支部９６４で軸支される。例えば、スライド板９６０に回転穴を設け、各出入り爪部９３６の根元部に軸を設けて、軸と回転穴との組合せで各出入り爪部９３６の根元部を回転自在に支持し、各出入り爪部９３６の先端を根元部の回転中心周りにそれぞれ回転させることができる。図３４の例では、スライド板９６０の下面側に各出入り爪部９３６が配置される積層構造がとられている。
【００８７】
スライド板９６０の上面側に設けられる操作ボス９６６は、可動部材９３４を移動操作するためのもので、操作ボス９６６には、操作用のくぼみ９６８が設けられる。操作用のくぼみ９６８の形状及び寸法は、上記の蓋起こし用のくぼみ９２０と同様に、棒状の先端形状を有する操作具を受け入れる程度のものが好ましい。こうすることで、特殊な形状の操作具を用いることなく、身近にありふれたもの、例えば、ボールペンの先、鉛筆の先、爪楊枝、その他身近にある細い棒状のものをそのまま用いて可動部材９３４を移動操作することができる。
【００８８】
また、スライド板９６０のループ部９６２のほぼ中央部に設けられる凸部９７０は、可動部材９３４を移動操作したときに、その位置決めを行うために用いられるものである。詳しくは、カバー板９４０の構成に関連させて後述する。
【００８９】
次に、ベース板９３８とカバー板９４０の構成について説明する。ベース板９３８とカバー板９４０とを積層して可動空間９４２を形成するとき、カバー板９４０の開口の内部形状とベース板９３８の上面形状とは、互いに協働して可動部材９３４の運動を規制する機能を有する。図３４について具体的に述べれば、可動部材９３４をベース板９３８又はカバー板９４０の長手方向の移動操作に連動して、可動部材９３４を図３４の紙面の最も左側に寄せたときに出入り爪部９３６がカバー板９４０の出入り窓９４８から内部に引っ込み、可動部材９３４を図３４の紙面の最も右側に寄せたときに出入り爪部９３６がカバー板９４０の出入り窓９４８から外部に突き出るように規制する機能を有する。そのために、以下に述べるように、ベース板９３８は段差構造を有し、カバー板９４０開口の内部に幾つかのガイド部を有する。
【００９０】
ベース板９３８は、３段の段差構造を有する階段状の板部材である。この階段状構造の部分を底面側から上面側に向かって、底面部９７２、中間部９７４、上面部９７６と呼ぶことにすると、底面部９７２は、上記のようにオーリング９５４が配置される部分であり、中間部９７４はカバー板９４０をベース板９３８にかぶせるときの支持部となるもので、上面部９７６は可動部材９３４のスライド板９６０の下面をスライド可能に支持する機能を有する部分である。
【００９１】
そして、中間部９７４の上面で上面部９７６が存在しないところは、可動部材９３４の４つの出入り爪部９３６が移動できるための空間を形成するためのものである。したがって、上面部９７６の平面寸法は、スライド板９６０が上面部９７６の上をスライド移動する範囲において、各出入り爪部９３６の運動を妨げない大きさに設定される。また、中間部９７４と上面部９７６の間の段差は、出入り爪部９３６の厚みよりやや大きめに設定される。
【００９２】
中間部９７４の平面寸法は、カバー板９４０の底面における側壁部９４６の内側平面寸法よりやや小さめに設定される。したがって、カバー板９４０をベース板９３８にかぶせたときに、カバー板９４０の底面における側壁部９４６の内壁側がベース板９３８の中間部９７４の側面に沿ってはまり込み、カバー板９４０の側壁部９４６の底面はベース板９３８の底面部９７２の上面に突き当たる。このように、カバー板９４０をベース板９３８にかぶせることで操作ケース９３２の外形を得ることができる。
【００９３】
カバー板９４０は、上記のようにつば部を有する上面板部９４４と、つば部の下部の側壁部９４６とを有し、下方に開口を有する部材である。上面板部９４４には、可動部材９３４の操作ボス９６６に対応して長手方向に沿った長穴である操作窓９５０が設けられる。操作窓９５０の範囲内で操作ボス９６６を移動操作することで、カバー板９４０の外側から可動部材９３４を長手方向に移動させることができる。
【００９４】
側壁部９４６の内側は、２段階の段差を有しており、側壁部９４６の底面から一段下がった突き当て面９８０は、ベース板９３８の中間部９７４の上面に突き当たる部分である。したがって、カバー板９４０をベース板９３８にかぶせたときに、上記のようにカバー板９４０の底面はベース板９３８の底面部９７２の上面に突き当たるが、それとともに、突き当て面９８０はベース板９３８の中間部９７４の上面に突き当たる。いずれの突き当たりが先に生じてもよい。このように２段階の突き当て構成をとることで、ベース板９３８とカバー板９４０との組み立てにおいて、接着面積を増やすことができ、しっかりした固定を行うことができる。
【００９５】
突き当て面９８０からさらに上面板部９４４の底面側壁９８２との間にも段差がある。この段差は、可動部材９３４を移動可能に保持するために設けられるもので、この段差の大きさは可動部材９３４のスライド板９６０の厚みと、出入り爪部９３６の厚みとを加算した値より若干大きめに設定される。上記のように、突き当て面９８０はベース板９３８の中間部９７４の上面に突き当てられ、ベース板９３８の上面部９７６はスライド板９６０の下面をスライド可能に支持し、ベース板９３８の上面部９７６と中間部９７４との間の段差は出入り爪部９３６の厚みより若干大きめに設定される。したがって、ベース板９３８の上面部９７６の上にスライド板９６０の下面をあてがって可動部材９３４を配置し、カバー板９４０をかぶせると、カバー板９４０の上面板部９４４の底面側壁９８２とスライド板９６０の上面との間に若干隙間を持たせることができる。
【００９６】
すなわち、カバー板９４０の上面板部９４４の底面側壁９８２と、ベース板９３８の上面部９７６とは、可動部材９３４が可動空間９４２の中で移動するときに、ベース板９３８の上面に平行な面でスライドするように案内するスライドガイドの機能を有する。
【００９７】
カバー板９４０の上面板部９４４の底面側壁９８２と、突き当て面９８０との間の段差壁の平面形状は、スライド板９６０及び出入り爪部９３６の運動を規制するように形成されている。
【００９８】
この段差壁のうち、カバー板９４０の長手方向に平行に設けられる長手方向段差壁９８４と、長手方向段差壁９８４に平行であるが一部をはまり込み部として平面形状を波形とした波形段差壁９８６は、スライド板９６０の長手方向の２辺をそれぞれ案内する機能を有する。すなわち、長手方向段差壁９８４は、図３４におけるスライド板９６０における長手方向の２辺のうち、直線的な辺を案内し、波形段差壁９８６はスライド板９６０のループ部９６２を有する辺を案内する。したがって、長手方向段差壁９８４と、波形段差壁９８６とは、可動部材９３４が可動空間９４２の中で移動するときに、カバー板９４０又はベース板９３８の長手軸方向に移動するように案内する直線移動ガイドの機能を有する。
【００９９】
また、波形段差壁９８６に２つ設けられるはまり込み部は、可動部材９３４がスライドガイド及び直線移動ガイドに沿って可動空間内を移動するときに、決められた２つの位置の間の位置変更のみを行うように規制する位置決め手段としての機能を有する。すなわち、２つのはまり込み部は、スライド板９６０のループ部９６２のほぼ中央部に設けられる凸部９７０に対応して設けられる。したがって、凸部９７０は、通常は２つのはまり込み部の一方にはまり込んでおり、スライド板９６０はその位置でロックされる。その状態からスライド板９６０を他方のはまり込み部の方向に移動させようとすると、凸部９７０は、２つのはまり込み部の間における山を越えようとし、ループ部９６２の弾性によりスライド板９６０の短手方向に移動する。そして、山を越えるとループ部９６２の弾性により短手方向の移動が元に戻り、他方のはまり込み部にはまり込み、スライド板９６０はその位置にロックされる。このようにして、波形段差壁９８６の２つのはまり込み部は、スライド板９６０の凸部９７０と協働し、スライド板９６０を２つの位置の間における位置変更のみを可能とし、位置変更の後はその位置でロックする位置決め手段の機能を有する。
【０１００】
カバー板９４０の上面板部９４４の底面側壁９８２と、突き当て面９８０との間の段差壁のうち、カバー板９４０の長手方向の両端部に設けられる両端部段差壁９８８は、４つの出入り爪部９３６の回転運動を規制する姿勢ガイドの機能を有する。両端部段差壁９８８は、図３４に示されるように、１つの出入り爪部９３６の両側面に対応して、カバー板９４０の短手方向に直線状に延びる直線状段差壁９９０と、カバー板９４０の長手方向に対し傾斜した方向に延びる斜行段差壁９９２としてそれぞれ配置される。そして、この直線状段差壁９９０と、斜行段差壁９９２との間に、出入り窓９４８が設けられる。
【０１０１】
図３４の例で、スライド板９６０が紙面の右手方向に移動するときには、各出入り爪部９３６の右側面がカバー板９４０の直線状段差壁９９０に当接し、各出入り爪部９３６はカバー板９４０の短手方向に平行な姿勢をとる。この姿勢をとるとき、各出入り爪部９３６は出入り窓９４８よりカバー板９４０の外側に突き出る。これにより、収納部９１０の係止溝９１８に各出入り爪部９３６ははまり込み、防水蓋９３０を収納部９１０にしっかり着装することができる。そこでこの姿勢を、蓋着装姿勢と呼ぶことができ、そのときの可動部材９３４の位置を蓋着装位置と呼ぶことができる。
【０１０２】
スライド板９６０が紙面の左手方向に移動するときには、各出入り爪部９３６の左側面が斜行段差壁９９２に当接し、各出入り爪部９３６はカバー板９４０の長手方向に対し傾斜した姿勢をとる。この姿勢をとるとき、各出入り爪部９３６は出入り窓９４８よりカバー板９４０の内側に引っ込む。これにより、収納部９１０の係止溝９１８から各出入り爪部９３６は外れ、防水蓋９３０を収納部９１０から外せる状態にすることができる。そこでこの姿勢を、蓋外し姿勢と呼ぶことができ、そのときの可動部材９３４の位置を蓋外し位置と呼ぶことができる。
【０１０３】
このように、カバー板９４０の長手方向の両端部に設けられる両端部段差壁９８８は、各出入り爪部９３６姿勢を蓋着装姿勢と蓋外し姿勢とするように案内する姿勢ガイドの機能を有する。
【０１０４】
このようなベース板９３８、カバー板９４０、可動部材９３４は、それぞれ適当な樹脂材料を成形加工すること等で得ることができる。その際に、ベース板９３８のオーリング９５４を取り付ける部分には、凹凸ができないようにすることが好ましい。例えば、ベース板９３８を成形加工するときに、金型の合わせ目がオーリング９５４を取り付ける部分に来ないようにすることが好ましい。また、可動部材９３４の出入り爪部９３６は、薄い金属板を加工したものを用いてもよい。
【０１０５】
上記のベース板９３８とカバー板９４０と可動部材９３４を組み立てて防水蓋９３０とするには次のようにする。まずカバー板９４０の開口を上に向けて作業台の上にセットする。そして、カバー板９４０の長手方向と可動部材９３４の長手方向とを合わせて、可動部材９３４をカバー板９４０の中にセットする。このとき、各出入り爪部９３６は斜行段差壁９９２の傾斜に合わせてやや斜めにしておく。そして可動部材９３４の操作ボス９６６をカバー板９４０の操作窓９５０に合わせ、さらにループ部９６２の凸部９７０を、カバー板９４０の波形段差壁９８６における２つのはめ込み部の中で、図３４において左側の方のはめ込み部に合わせる。つまり、可動部材９３４をカバー板９４０の可動範囲の中で最も左側に寄せた位置にしてセットを行う。このとき、各出入り爪部９３６は斜行段差壁９９２に沿った姿勢で、出入り窓９４８より突き出さずにカバー板９４０の内部に収まっている。
【０１０６】
このようにしてカバー板９４０の開口の内部に可動部材９３４がセットされると、次にベース板９３８を上下逆にしてカバー板９４０にかぶせる。このとき、カバー板９４０の底面における側壁部９４６の内壁側と、ベース板９３８の中間部９７４の側面とを合わせてはめこむとよい。こうして、カバー板９４０とベース板９３８がしっかりはめ込まれると、その接続部を適当な接着材により固定し、ベース板の底面部９７２にオーリング９５４を配置して、防水蓋９３０の組み立てが終了する。これを上下逆にしてひっくり返すと、カバー板９４０の操作窓９５０の最も左に寄った状態で操作ボス９６６が見える。操作ボス９６６を操作窓９５０の中で最も右に寄せると、出入り爪部９３６が出入り窓９４８から突き出て、図３２に示す防水蓋９３０の状態となる。
【０１０７】
上記構成の計時装置９００について、収納部９１０とその開口９１２を覆う防水蓋９３０の作用を説明する。以下においては、図３２〜図３４で用いた符号を用いる。図３５と図３６は、防水蓋９３０を収納部９１０の開口に合わせてはめ込んだときにおける可動部材９３４の動作の様子を示す図である。可動部材９３４の全体は、実際にはカバー板９４０に隠されて目視できないのであるが、図３５、図３６においては、理解しやすいように可動部材９３４全体を実線で示してある。
【０１０８】
図３５は、操作ボス９６６を紙面において最も右側に寄せたときの可動部材９３４の状態を示す。このとき、可動部材９３４のループ部９６２の凸部９７０は、カバー板９４０の波形段差壁９８６における右側のはまり込み部にはまり込み、そこでロックされている。この位置は、蓋着装位置であり、出入り爪部９３６の姿勢は蓋着装姿勢となり、出入り窓９４８から各出入り爪部９３６の先端部がカバー板９４０の外側に突き出て、収納部９１０の内周壁部９１６の係止溝９１８にはまり込む。こうして、防水蓋９３０は、収納部９１０の開口９１２を覆い、しっかりと係止される。また、オーリング９５４と収納部９１０の内周壁部とにより密閉性が確保される。
【０１０９】
図３６は、操作ボス９６６に設けられた操作用のくぼみ９６８にボールペン等の先を挿入し、操作窓９５０に沿って最も左側に寄せたときの可動部材９３４の状態を示す図である。このとき、可動部材９３４のループ部９６２の凸部９７０は、カバー板９４０の波形段差壁９８６における右側のはまり込み部から左側のはまり込み部に移り、そこでロックされる。この位置は、蓋外し位置であり、出入り爪部９３６の姿勢は蓋外し姿勢となり、各出入り爪部９３６の先端部はカバー板９４０の内側に引っ込む。この状態においても、オーリング９５４と収納部９１０の内周壁部との摩擦により、防水蓋９３０は自然に抜け落ちることはない。そこで、蓋起こしくぼみ９２０にボールペン等の先を挿入し、防水蓋９３０を収納部９１０の開口９１２から起こし、防水蓋９３０を外すことができる。
【０１１０】
このように、操作ケース９３２の可動空間９４２の中に保持される可動部材９３４を操作ケース９３２の長手方向に移動させて位置を変更し、その位置の変更に連動させて出入り爪部９３６を操作ケース９３２から出入りさせて、収納部９１０の係止溝９１８にはまり込ませあるいは外すことができる。これにより、防水蓋９３０を収納部９１０から簡単操作で着脱することができる。
【図面の簡単な説明】
【０１１１】
【図１】実施の形態の計時装置とスタンドの組合せを示す斜視図である。
【図２】実施の形態の、はめ込み部と受け部の周辺部分の断面図である。
【図３】実施の形態の、はめ込み部と受け部の係止状態を示す図である。
【図４】実施の形態の計時装置を立て位置にした状態を示す図である。
【図５】実施の形態の簡単操作部と各機能操作ボタンとの関係を示す正面図である。
【図６】図５に対応する側面図である。
【図７】実施の形態の上部筐体と下部筐体との折り畳みを示す図である。
【図８】他の実施の形態における簡単操作部を示す図である。
【図９】他の実施の形態におけるはめ込み部と受け部とを示す図である。
【図１０】図９に対応しはめ込み部と受け部との係止状態を示す図である。
【図１１】他の実施の形態において、充電池を充電する電源部をスタンドに設けた様子を示す図である。
【図１２】図１１に対応し、はめ込み部と受け部とを示す図である。
【図１３】図１１に対応し、はめ込み部と受け部とが係止され、充電が行われる様子を示す図である。
【図１４】別の実施形態の計時装置とスタンドの組合せについて、計時装置とスタンドのそれぞれを示す斜視図である。
【図１５】図１４の計時装置とスタンドとを組合せた状態を示す斜視図である。
【図１６】さらに別の実施形態の計時装置とスタンドの組合せについて、計時装置とスタンドのそれぞれを示す斜視図である。
【図１７】図１６の計時装置とスタンドとを組合せた状態を示す斜視図である。
【図１８】計時装置に畳んで収納できるスタンドを用いる実施形態を示す斜視図である。
【図１９】図１８の計時装置とスタンドの組合せにおいて、スタンド周辺の詳細断面図である。
【図２０】図１８の計時装置とスタンドの組合せにおいて、スタンドを計時装置に取り付ける前の様子を説明する図である。
【図２１】図１８の計時装置とスタンドの組合せにおいて、スタンドを計時装置に取り付け、収納くぼみに畳んで収納する様子を説明する図である。
【図２２】図１８の計時装置とスタンドの組合せにおいて、スタンドを計時装置から起こす様子を説明する図である。
【図２３】図１８の計時装置とスタンドの組合せにおいて、スタンドを計時装置から張り出させる様子を説明する図である。
【図２４】図１８の計時装置とスタンドの組合せにおいて、スタンドを計時装置から張り出させ立て位置とする様子を説明する図である。
【図２５】図１８の計時装置とスタンドの組合せにおいて、計時装置の表示面を押すときの様子を説明する図である。
【図２６】計時装置に畳んで収納できるスタンドの別の実施形態につき、スタンドを計時装置に取り付け、収納くぼみに畳んで収納する様子を説明する図である。
【図２７】図２６のスタンドの正面図と側面図である。
【図２８】計時装置に着脱自在に取り付けられるスタンドを用いる実施形態を示す斜視図である。
【図２９】図２８のスタンドの正面図と側面図である。
【図３０】計時装置に着脱自在に取り付けられるスタンドの別の実施形態の正面図と側面図である。
【図３１】計時装置に着脱自在にはめ込まれるスタンドを用いる実施形態を示す斜視図である。
【図３２】他の実施形態において、収納部と防水蓋とを有する計時装置の裏面斜視図である。
【図３３】図３２の実施の形態において、操作ケースの平面図及び２方向からの側面図を用いて可動空間の様子を示す図である。
【図３４】図３２の実施の形態の防水蓋において、操作ケースを分解し、ベース板とカバー板と可動部材とを示す図である。
【図３５】図３２の実施の形態において、操作ボスを最も右側に寄せて防水蓋を着装するときの様子を示す図である。
【図３６】図３２の実施の形態において、操作ボスを最も左側に寄せて防水蓋の係止を外すときの様子を示す図である。
【符号の説明】
【０１１２】
１０，３１０，４１０，５１０  計時装置とスタンドの組合せ、２０，３２０，４２０，５２０，７２０，８２０，９００  計時装置、２２  ケース、２４，２６，２８  機能操作ボタン、３２，１３２  はめ込み部、３６，８１６  ひも、３８  キャップ、４０  計時機構、４２  機能切り替え回路、５０，３５０，４５０，５５０，６５０，７５０，８５０  スタンド、６０  下部筐体、６２ａ，６２ｂ，１４０  受け部、６８ａ，６８ｂ，１６８ａ，１６８ｂ  ボールプランジャ機構、７４，３１４  磁石、７６，３１２  磁気センサ、８０  ヒンジ機構、９０，３９０，４９０  上部筐体、９２，１９２  簡単操作部、１５０，１７０ａ，１７０ｂ，７１５  ボール、２００  電源部、２１０  充電池、４１２，５１６，８１４  押しボタン機構、４１４  操作部、５１４，６１４  回転軸、５３０  接触ボタン部、５３２  シャフト、５３４  クリックバネ、５３６  ラバースイッチ、１５８，５３８  スイッチケース、５４０  スイッチ基板、７１４  取付部、７１６，７１７  コイルバネ、９０２  電池、９１０  収納部、９１２  開口、９１４  段差、９１６  内周壁部、９１８  係止溝、９３０  防水蓋、９３２  操作ケース、９３４  可動部材、９３６  出入り爪部、９３８  ベース板、９４０  カバー板、９４２  可動空間、９４４  上面板部、９４６  側壁部、９４８  出入り窓、９５０  操作窓、９５４  オー（Ｏ）リング、９６０  スライド板、９６２  ループ部、９６４  軸支部、９６６  操作ボス、９２０，９６８  くぼみ、９７０  凸部、９７２  底面部、９７４  中間部、９７６  上面部、９８０  突き当て面、９８２  底面側壁、９８４  長手方向段差壁、９８６  波形段差壁、９８８  両端部段差壁、９９０  直線状段差壁、９９２  斜行段差壁。
【図１】
2005055424.tif 000003
【図２】
2005055424.tif 000004
【図３】
2005055424.tif 000005
【図４】
2005055424.tif 000006
【図５】
2005055424.tif 000007
【図６】
2005055424.tif 000008
【図７】
2005055424.tif 000009
【図８】
2005055424.tif 000010
【図９】
2005055424.tif 000011
【図１０】
2005055424.tif 000012
【図１１】
2005055424.tif 000013
【図１２】
2005055424.tif 000014
【図１３】
2005055424.tif 000015
【図１４】
2005055424.tif 000016
【図１５】
2005055424.tif 000017
【図１６】
2005055424.tif 000018
【図１７】
2005055424.tif 000019
【図１８】
2005055424.tif 000020
【図１９】
2005055424.tif 000021
【図２０】
2005055424.tif 000022
【図２１】
2005055424.tif 000023
【図２２】
2005055424.tif 000024
【図２３】
2005055424.tif 000025
【図２４】
2005055424.tif 000026
【図２５】
2005055424.tif 000027
【図２６】
2005055424.tif 000028
【図２７】
2005055424.tif 000029
【図２８】
2005055424.tif 000030
【図２９】
2005055424.tif 000031
【図３０】
2005055424.tif 000032
【図３１】
2005055424.tif 000033
【図３２】
2005055424.tif 000034
【図３３】
2005055424.tif 000035
【図３４】
2005055424.tif 000036
【図３５】
2005055424.tif 000037
【図３６】
2005055424.tif 000038